(57)【要約】  本発明は、本発明はビームフォーミングベースの無線通信システムにおける送受信ダイバーシティをサポートするための装置及び方法に関する。この時、送信側で信号を送信するための方法は、受信側の受信ビームフォーミング能力情報を確認する段階と、受信側から少なくとも１つの送信ビームパターンに対するチャネル情報を受信する段階と、前記受信側の受信ビームフォーミングサポート情報及び前記少なくとも１つの送信ビームパターンに対するチャネル情報を考慮して前記受信側に信号を送信するための少なくとも１つの送信ビームパターンを決定する段階と、前記受信側に信号を送信するための少なくとも１つの送信ビームパターンを用いて前記受信側に信号を送信する段階と、を含む。
2014524705.tif 000002
【特許請求の範囲】
【請求項１】
複数のビームパターンを構成できる無線通信システムの送信側で信号を送信するための方法であって、
受信側の受信ビームフォーミング能力情報を確認する段階と、
受信側から少なくとも１つの送信ビームパターンに対するチャネル情報を受信する段階と、
前記受信側の受信ビームフォーミングサポート情報及び前記少なくとも１つの送信ビームパターンに対するチャネル情報を考慮して前記受信側に信号を送信するための少なくとも１つの送信ビームパターンを決定する段階と、
前記受信側に信号を送信するための少なくとも１つの送信ビームパターンを用いて前記受信側に信号を送信する段階と、を含む方法。
【請求項２】
前記受信ビームフォーミング能力情報を確認する段階は、
前記受信側のネットワークエントリ又はネットワークリエントリの際、前記受信側から前記受信ビームフォーミング能力情報を受信する段階を含む請求項１に記載の方法。
【請求項３】
前記チャネル情報を確認する段階の前に前記受信側にチャネル情報を要求する段階をさらに含み、前記チャネル情報要求は受信側のチャネル情報をフィードバックするための形式情報を含む請求項１に記載の方法。
【請求項４】
前記送信ビームパターンを決定する段階は、
前記受信側が受信ビームフォーミングをサポートする場合、同時に複数の受信ビームパターンを用いて信号を受信することができ、多重アンテナストリームを含む場合、多重アンテナ送信方式のための複数の送信ビームパターン及び複数の受信ビームパターンを選択する段階を含む、又は、
前記受信側が受信ビームフォーミングをサポートし、同時に複数の受信ビームパターンを用いて信号を受信することができず、前記送信側から信号を順に送信する場合、少なくとも１つの送信ビームパターン及び少なくとも１つの受信ビームパターンを選択する段階を含む、又は、
前記受信側が受信ビームフォーミングをサポートせず、多重アンテナストリームを含む場合、複数の送信ビームパターンを選択する、又は前記受信側が受信ビームフォーミングをサポートせず、前記送信側から信号を順に送信する場合、少なくとも１つの送信ビームパターンを選択する段階を含む請求項１に記載の方法。
【請求項５】
前記送信ビームパターン及び受信ビームパターンを選択する段階の前に前記受信ビームフォーミング能力情報及び前記送信側の送信ビーム運営情報のうち少なくとも１つを考慮して空間多重化伝送方式及びダイバーシティ送信方式のうちいずれか１つを選択する段階をさらに含み、
前記送信ビームパターン及び受信ビームパターンを選択する段階は、
空間多重化伝送方式及びダイバーシティ送信方式のうちいずれか１つの多重アンテナ送信方式に対する複数の送信ビームパターン及び複数の受信ビームパターンを選択する段階を含む請求項４に記載の方法。
【請求項６】
複数のビームパターンを構成できる無線通信システムの受信側でビームパターンのチャネル情報を確認するための方法であって、
送信側に前記受信側の受信ビームフォーミング能力情報を送信する段階と、
送信側がそれぞれの送信ビームパターンを介して送信した少なくとも１つの基準信号を受信する段階と、
前記少なくとも１つの基準信号を用いて前記少なくとも１つの送信ビームパターンのチャネルを推定する段階と、
少なくとも１つの送信ビームパターンのチャネル情報を前記送信側にフィードバックする段階と、を含む方法。
【請求項７】
前記受信ビームフォーミング能力情報は、受信側の受信ビームフォーミングのサポート可否、受信側がサポート可能な受信ビームパターンの個数、複数の受信ビームの同時使用可否、受信側が同時使用可能な受信ビームの個数及び受信側が使用可能な多重アンテナストリームの個数のうち少なくとも１つを含む請求項１又は６に記載の方法。
【請求項８】
前記送信側にフィードバックする段階は、
フィードバック形式情報を確認する段階と、
前記フィードバック形式情報を考慮して少なくとも１つの送信ビームパターンに対するチャネル情報を前記送信側にフィードバックする段階と、を含む請求項６に記載の方法。
【請求項９】
前記形式情報は、チャネル情報をフィードバックする送信ビームパターンの個数、チャネル情報をフィードバックする送信ビームパターン及び受信ビームパターンの個数、チャネル情報をフィードバックする受信ビーム別送信ビームパターンの個数及びビーム選択及びチャネル情報フィードバックのための基準値のうち少なくとも１つを含み、
前記基準値は、チャネル品質の絶対値、基準ビーム組み合わせに対するチャネル品質の相対値、ビーム組み合わせチャネル品質の時間分散及びビーム組み合わせチャネル品質の標準偏差、ビーム組み合わせ間の相関値のうち少なくとも１つを含む請求項３又は８に記載の方法。
【請求項１０】
複数のビームパターンを構成できる無線通信システムの送信側で信号を受信するための方法であって、
受信側の送信ビームフォーミング能力情報を確認する段階と、
それぞれの受信ビームパターンに対するチャネル情報を推定する段階と、
前記受信側の送信ビームフォーミングサポート情報及び前記少なくとも１つの受信ビームパターンに対するチャネル情報を考慮して前記受信側が信号を受信するための少なくとも１つの受信ビームパターンを決定する段階と、
前記少なくとも１つの送信ビームパターンを用いて前記受信側から信号を受信する段階と、を含む方法。
【請求項１１】
前記送信ビームフォーミング能力情報は、受信側の送信ビームフォーミングのサポート可否、受信側がサポート可能な送信ビームパターンの個数、複数の送信ビームの同時使用可否、受信側が同時使用可能な送信ビームの個数及び受信側が使用可能な多重アンテナストリームの個数のうち少なくとも１つを含む請求項１０に記載の方法。
【請求項１２】
前記送信ビームフォーミング能力情報を確認する段階は、
前記受信側のネットワークエントリ又はネットワークリエントリの際、前記受信側から前記送信ビームフォーミング能力情報を受信する段階を含む請求項１０に記載の方法。
【請求項１３】
前記少なくとも１つの送信ビームパターンを選択する段階は、
前記受信側が送信ビームフォーミングをサポートし、同時に複数の送信ビームパターンを用いて信号を送信でき、多重アンテナストリームを含む場合、多重アンテナ送信方式のための複数の送信ビームパターン及び複数の受信ビームパターンを選択する段階を含む、又は、
前記受信側が送信ビームフォーミングをサポートし、同時に複数の送信ビームパターンを用いて信号を送信できず、前記送信側から信号を順に受信する場合、少なくとも１つの送信ビームパターン及び少なくとも１つの受信ビームパターンを選択する段階を含む請求項１０に記載の方法。
【請求項１４】
前記送信ビームパターン及び受信ビームパターンを選択する段階の前に前記受信ビームフォーミング能力情報及び前記送信側の送信ビーム運営情報のうち少なくとも１つを考慮して空間多重化伝送方式及びダイバーシティ送信方式のうちいずれか１つを選択する段階をさらに含み、
前記送信ビームパターン及び受信ビームパターンを選択する段階は、
空間多重化伝送方式及びダイバーシティ送信方式のうちいずれか１つの多重アンテナ送信方式に対する複数の送信ビームパターン及び複数の受信ビームパターンを選択する段階を含む請求項１３に記載の方法。
【請求項１５】
請求項１乃至１４のうちいずれか１項に記載の方法を実施するように構成された装置。
【発明の詳細な説明】
【技術分野】
【０００１】
本発明は、無線通信システムにおける多重アンテナ送信をサポートするための装置及び方法に関し、特に、ビームフォーミングベースの無線通信システムにおける多重アンテナ送信をサポートするための装置及び方法に関する。
【背景技術】
【０００２】
無線通信システムは持続的に増加する無線データトラフィック需要を満たすために、より高いデータ伝送率をサポートするための方向に発展している。例えば、無線通信システムは、データ伝送率を増加させるために、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＭＩＭＯ（Ｍｕｌｔｉｐｌｅ  Ｉｎｐｕｔ  Ｍｕｌｔｉｐｌｅ  Ｏｕｔｐｕｔ）などの通信技術に基づいてスペクトル効率（Ｓｐｅｃｔｒａｌ  Ｅｆｆｉｃｉｅｎｃｙ）を改善する方向に技術開発が進められている。
【０００３】
しかし、スマートフォン及びタブレットＰＣに対する需要の増加及びそれに伴う多量のトラフィックを要求するアプリケーションプログラムの爆発的増加によって、データトラフィックに対する要求がさらに加速化し、スペクトル効率を改善する技術だけでは急増する無線データトラフィック需要を満たすことが困難な問題が発生する。
【０００４】
上記問題点を克服するための方法として、超高周波帯域を使用する無線通信システムへの関心が急増している。
【０００５】
超高周波帯域を介して無線通信をサポートする場合、超高周波帯域の周波数の特性上、経路の損失、反射損失などの電波損失が増加する問題点がある。そのため、超高周波帯域を使用する無線通信システムは、電波損失によって電波の到達距離が短くなり、サービス領域（ｃｏｖｅｒａｇｅ）が減少する問題が発生する。
【０００６】
そのため、超高周波帯域を使用する無線通信システムは、ビームフォーミング技術を用いて電波の経路損失を緩和し電波の伝達距離を増加させることによって、サービス領域を増大させることができる。
【０００７】
上記のように、ビームフォーミング技術を使用する場合、無線通信システムは、ビームフォーミング利得を最大化して受信信号対雑音比（ＳＮＲ：Ｓｉｇｎａｌ  ｔｏ  Ｎｏｉｓｅ  Ｒａｔｉｏ）のような性能指数（ｐｅｒｆｏｒｍａｎｃｅ  ｉｎｄｅｘ）を最適化できる。しかし、ビームフォーミング技術を使用する場合、無線通信システムは、マルチパス伝搬特性（ｍｕｌｔｉｐａｔｈ  ｐｒｏｐａｇａｔｉｏｎ）が減少しダイバーシティ利得が得られない限界がある。
【発明の概要】
【発明が解決しようとする課題】
【０００８】
本発明は、上記問題点を解決するために、以下に説明された長所のうち少なくとも１つを提供することを目的とする。したがって、本発明の目的は、ビームフォーミング技術を使用する無線通信システムにおける送受信ビームパターンをスケジューリングするための装置及び方法を提供することにある。
【０００９】
本発明の他の目的は、ビームフォーミング技術を使用する無線通信システムにおける送受信ダイバーシティをサポートするための装置及び方法を提供することにある。
【００１０】
本発明のさらに他の目的は、ビームフォーミング技術をサポートする無線通信システムにおける空間多重化伝送をサポートするための装置及び方法を提供することにある。
【００１１】
本発明のさらに他の目的は、ビームフォーミング技術を使用する無線通信システムの受信側で送信側の送信ビームパターンに対するチャネル情報を推定及びフィードバックするための装置及び方法を提供することにある。
【００１２】
本発明のさらに他の目的は、ビームフォーミング技術を使用する無線通信システムの送信側で受信側から提供された各ビームパターンのチャネル情報を考慮して送受信ダイバーシティをサポートするための装置及び方法を提供することにある。
【００１３】
本発明のさらに他の目的は、ビームフォーミング技術を使用する無線通信システムの送信側で受信側から提供された各ビームパターンのチャネル情報を考慮して空間多重化方式をサポートするための装置及び方法を提供することにある。
【００１４】
本発明のさらに他の目的は、ビームフォーミング技術を使用する無線通信システムの送信側で受信側の送信ビームパターン情報を考慮して受信ビームフォーミングのためのスケジューリングを行うための装置及び方法を提供することにある。
【００１５】
本発明のさらに他の目的は、ビームフォーミング技術を使用する無線通信システムの送信側で受信側の送信ビームパターン情報を考慮してアップリンクダイバーシティをサポートするための装置及び方法を提供することにある。
【００１６】
本発明のさらに他の目的は、ビームフォーミング技術を使用する無線通信システムの送信側で受信側の送信ビームパターン情報を考慮してアップリンク空間多重化方式をサポートするための装置及び方法を提供することにある。
【課題を解決するための手段】
【００１７】
上記目的は、ビームフォーミング技術を使用する無線通信システムにおけるダイバーシティをサポートする装置及び方法を提供することによって達成できる。
【００１８】
本発明の目的を達成するための本発明の第１見地によれば、複数のビームパターンを構成できる無線通信システムの送信側で信号を送信するための方法は、受信側の受信ビームフォーミング能力情報を確認する段階と、受信側から少なくとも１つの送信ビームパターンに対するチャネル情報を受信する段階と、前記受信側の受信ビームフォーミングサポート情報及び前記少なくとも１つの送信ビームパターンに対するチャネル情報を考慮して前記受信側に信号を送信するための少なくとも１つの送信ビームパターンを決定する段階と、前記受信側に信号を送信するための少なくとも１つの送信ビームパターンを用いて前記受信側に信号を送信する段階と、を含む。
【００１９】
本発明の第２見地によれば、複数のビームパターンを構成できる無線通信システムの受信側でビームパターンのチャネル情報を確認するための方法は、送信側に前記受信側の受信ビームフォーミング能力情報を送信する段階と、送信側がそれぞれの送信ビームパターンを介して送信した少なくとも１つの基準信号を受信する段階と、前記少なくとも１つの基準信号を用いて前記少なくとも１つの送信ビームパターンのチャネルを推定する段階と、少なくとも１つの送信ビームパターンのチャネル情報を前記送信側にフィードバックする段階と、を含む。
【００２０】
本発明の第３見地によれば、複数のビームパターンを構成できる無線通信システムの送信側は、複数のアンテナ要素で構成される少なくとも１つのアンテナ部と、受信側から少なくとも１つの送信ビームパターンに対するチャネル情報を受信する受信部と、受信側の受信ビームフォーミング能力情報及び前記少なくとも１つの送信ビームパターンに対するチャネル情報を考慮して前記受信側に信号を送信するための少なくとも１つの送信ビームパターンを決定するビーム設定部と、それぞれのアンテナ要素に接続され、前記ビーム設定部で決定した少なくとも１つの送信ビームパターンを用いて前記受信側に信号を送信するようにビームを形成する複数のＲＦ経路と、を含む。
【００２１】
本発明の第４見地によれば、複数のビームパターンを構成できる無線通信システムの受信側は、送信側が少なくとも１つの送信ビームパターンを介して送信した少なくとも１つの基準信号を受信する受信部と、前記少なくとも１つの基準信号を用いて前記少なくとも１つの送信ビームパターンのチャネルを推定するチャネル推定部と、送信側に前記受信側の受信ビームフォーミング能力情報を送信し、少なくとも１つの送信ビームパターンのチャネル情報を前記送信側にフィードバックするフィードバック制御部と、を含む。
【００２２】
本発明の第５見地によれば、複数のビームパターンを構成できる無線通信システムの送信側で信号を受信するための方法は、受信側の送信ビームフォーミング能力情報を確認する段階と、それぞれの受信ビームパターンに対するチャネル情報を推定する段階と、前記受信側の送信ビームフォーミングサポート情報及び前記少なくとも１つの受信ビームパターンに対するチャネル情報を考慮して前記受信側が信号を受信するための少なくとも１つの受信ビームパターンを決定する段階と、前記少なくとも１つの送信ビームパターンを用いて前記受信側から信号を受信する段階と、を含む。
【００２３】
本発明の第６見地によれば、複数のビームパターンを構成できる無線通信システムの送信側は、複数のアンテナ要素で構成される少なくとも１つのアンテナ部と、少なくとも１つの受信ビームパターンに対するチャネル情報を推定するチャネル推定部と、受信側の送信ビームフォーミング能力情報及び前記少なくとも１つの受信ビームパターンに対するチャネル情報を考慮して前記受信側から信号を受信するための少なくとも１つの受信ビームパターンを決定するビーム設定部と、それぞれのアンテナ要素に接続され、前記ビーム設定部で決定した少なくとも１つの受信ビームパターンを用いて前記受信側から信号を受信するようにビームを形成する複数のＲＦ経路と、を含む。
【発明の効果】
【００２４】
上記のように、ビームフォーミング技術を使用する無線通信システムにおける多重アンテナ送信方式をサポートすることによって、ビームフォーミングによる伝送率を増加させることができ、ビームフォーミングを介して障害物又はチャネルフェージングによるチャネル環境変化に対するロバスト性（ｒｏｂｕｓｔｎｅｓｓ）を有するとともに、ダイバーシティ利得が得られる利点がある。
【図面の簡単な説明】
【００２５】
【図１】本発明による無線通信システムにおける送信側の送信ビーム及び受信側の受信ビームを示す図である。
【図２】本発明による送信ビームを形成するための送信側のブロック構成を示す図である。
【図３】本発明による受信ビームを形成するための受信側のブロック構成を示す図である。
【図４】本発明の実施形態による受信側でビームパターンに対するチャネル情報をフィードバックするための手順を示す図である。
【図５】本発明の実施形態による受信側でビームパターンに対するチャネルを推定するための手順を示す図である。
【図６】本発明の他の実施形態による受信側でビームパターンに対するチャネルを推定するための手順を示す図である。
【図７】本発明の実施形態による送信側でビームを形成するための手順を示す図である。
【図８Ａ】本発明の実施形態による送信側でビームフォーミングのためのスケジューリング手順を示す図である。
【図８Ｂ】本発明の実施形態による送信側でビームフォーミングのためのスケジューリング手順を示す図である。
【図９】本発明の実施形態による受信側で送信ビームフォーミング情報を送信するための手順を示す図である。
【図１０】本発明の実施形態による送信側で受信ビームを形成するための手順を示す図である。
【図１１】本発明の実施形態による送信側でアップリンクビームフォーミングのためのスケジューリング手順を示す図である。
【発明を実施するための形態】
【００２６】
以下、本発明の好ましい実施形態を添付された図面を参照して詳しく説明する。なお、本発明を説明するに当たって、関連する公知の機能または構成に対する具体的な説明が本発明の要旨を不要に不明確にする可能性があると判断された場合、その詳細な説明は省略する。また、以下で記載される用語は、本発明における機能を考慮して定義された用語であって、これはユーザ、運用者の意図または慣例などによって異なることがある。したがって、その定義は本明細書全般にわたる内容に基づいて行われるべきである。
【００２７】
以下、本発明は、ビームフォーミングベースの無線通信システムにおける送受信ダイバーシティをサポートするための技術について説明する。
【００２８】
以下の説明で、送信側は、ダウンリンク信号を送信するための主体によって基地局、中継局及び端末のうちいずれか１つを含む。また、受信側は、送信側からダウンリンク信号を受信する基地局、中継局及び端末のうちいずれか１つを含む。
【００２９】
無線通信システムにおけるビームフォーミング技術を使用する場合、送信側は、図１に示すように、互いに異なる方向にビームを形成するために複数のビームパターンをサポートする。また、受信側は、図１に示すように、少なくとも１つのビームパターンを介して全方向又は複数の互いに異なる方向に受信ビームを形成する。
【００３０】
図１は、本発明による無線通信システムにおける送信側の送信ビーム及び受信側の受信ビームを示している。
【００３１】
図１に示すように、送信側１００は、互いに異なる方向にビームを形成するために複数のビームパターンをサポートする。この時、送信側１００は、サポート可能な複数のビームパターンのうち少なくとも１つのビームパターンを用いて受信側１１０に多重アンテナ送信をサポートする。具体的には、送信側１００は、サポート可能な複数のビームパターンそれぞれを介して基準信号を受信側１１０に送信する。ここで、基準信号は、受信側１１０で送信側１００と信号を送受信するために使用するためのビームを選択できるように、送信側１００の各送信ビームパターンを介して送信する信号をいう。
【００３２】
受信側１１０は、送信側１００から提供された基準信号を用いて各送信ビームパターンのチャネルを推定する。例えば、受信側１１０が受信ビームフォーミングをサポートしない場合、受信側１１０は送信側から提供された基準信号を用いて各送信ビームパターンのチャネルを推定する。別の例として、受信側１１０が受信ビームフォーミングをサポートする場合、受信側１１０はそれぞれの受信ビームパターンに対する各送信ビームパターンのチャネルを推定する。
【００３３】
以降、受信側１１０は、各送信ビームパターンのチャネル情報を送信側１００にフィードバックする。例えば、受信側１１０が受信ビームフォーミングをサポートする場合、受信側１１０は各受信ビームパターンを介して受信した送信ビームパターンのチャネル情報を送信側１００にフィードバックする。
【００３４】
送信側１００は、受信側１１０から提供された各送信ビームパターンのチャネル情報を用いてサポート可能な複数のビームパターンのうち多重アンテナ送信方式に使用する少なくとも１つのビームパターンを選択する。以降、送信側１００は、多重アンテナ送信方式に使用する少なくとも１つのビームパターンを用いて受信側１１０に信号を送信する。例えば、受信側１１０が受信ビームフォーミングをサポートし、同時に複数の受信ビームパターンを用いて信号を受信できる場合、送信側１００は、ダイバーシティ送信のために複数の受信ビームパターンに対する複数の送信ビームパターンを選択する。以降、送信側１００は、ダイバーシティ送信のために選択した複数の送信ビームパターンを介して受信側１１０に同じ情報を送信する。この時、送信側１００は、ダイバーシティ送信のために選択した複数の受信ビームパターンに対する情報を制御情報を用いて受信側１１０に送信する。
【００３５】
別の例として、受信側１１０が受信ビームフォーミングをサポートするが、同時に複数の受信ビームパターンを用いて信号を受信できない場合、送信側１００は複数の受信ビームパターンに対する複数の送信ビームパターンを選択することもできる。以降、送信側１００は、互いに異なる時点で複数の受信ビームパターンに対する互いに異なる送信ビームパターンを用いて受信側１１０に同じ情報を送信する。この時、送信側１００は、ダイバーシティ送信のために選択した複数の受信ビームパターンに対する情報を制御情報を用いて受信側１１０に送信する。
【００３６】
さらに別の例として、受信側１１０が受信ビームフォーミングをサポートするが、同時に複数の受信ビームパターンを用いて信号を受信できない場合、送信側１００は１つの受信ビームパターンに対する１つの送信ビームパターンを選択することもできる。以降、送信側１００は、互いに異なる時点で同じ送信ビームパターン及び受信ビームパターンを用いて受信側１１０に同じ情報を送信する。この時、送信側１００は、ダイバーシティ送信のために選択した受信ビームパターンに対する情報を制御情報を用いて受信側１１０に送信する。
【００３７】
さらに別の例として、受信側１１０が受信ビームフォーミングをサポートしない場合、送信側１００は複数の送信ビームパターンを選択することもできる。以降、送信側１００は、ダイバーシティ送信のために選択した複数の送信ビームパターンを介して受信側１１０に同じ情報を送信する。この時、送信側１００は、互いに異なる時点で互いに異なる送信ビームパターンを用いて受信側１１０に同じ情報を送信することもできる。
【００３８】
さらに別の例として、受信側１１０が受信ビームフォーミングをサポートしない場合、送信側１００は１つの送信ビームパターンを選択することもできる。
【００３９】
さらに別の例として、受信側１１０が受信ビームフォーミングをサポートし、同時に複数の受信ビームパターンを用いて信号を受信できる場合、送信側１００は、空間多重化伝送のために複数の受信ビームパターンに対する複数の送信ビームパターンを選択する。以降、送信側１００は、空間多重化伝送のために選択した複数の送信ビームパターンを介して受信側１１０に互いに異なる情報を送信する。この時、送信側１００は、空間多重化伝送のために選択した複数の受信ビームパターンに対する情報を制御情報を用いて受信側１１０に送信する。
【００４０】
以下の説明は、送信ビームを形成するための送信側の構成について説明する。
図２は、本発明による送信ビームを形成するための送信側のブロック構成を示している。ここで、送信側は、デジタル／アナログハイブリッドビームフォーミング方式を使用するものであると仮定する。
【００４１】
図示のように、送信側はＫ個のチャネル符号部２００−１乃至２００−Ｋ、ＭＩＭＯ符号部２１０、プリコーディング部２２０、ＮＴ個のＲＦ経路２３０−１乃至２３０−ＮＴ、ＮＴ個のアンテナ部２５０−１乃至２５０−ＮＴ、ビーム設定部２６０、送信制御部２７０及びフィードバック情報受信部２８０を含んで構成される。
【００４２】
Ｋ個のチャネル符号部２００−１乃至２００−Ｋは、それぞれチャネル符号器（ｃｈａｎｎｅｌ  ｅｎｃｏｄｅｒ）及び変調器（ｍｏｄｕｌａｔｏｒ）を含んで構成され、受信側に送信する信号を符号化及び変調して出力する。
【００４３】
ＭＩＭＯ符号部２１０は、ＮＴ個のアンテナ部２５０−１乃至２５０−ＮＴを介して信号を送信するために、Ｋ個のチャネル符号部２００−１乃至２００−Ｋから提供された変調信号をＮＴ個のストリームを介して送信する信号に多重化して出力する。
【００４４】
プリコーディング部２２０は、ＭＩＭＯ符号部２１０から提供されたＮＴ個の信号をデジタルビームフォーミングのためのプリコードにプリコーディングしてそれぞれのＲＦ経路２３０−１乃至２３０−ＮＴに提供する。
【００４５】
ＮＴ個のＲＦ経路２３０−１乃至２３０−ＮＴは、それぞれプリコーディング部２２０から提供された信号を当該アンテナ部２５０−１乃至２５０−ＮＴを介して出力するために処理する。この時、ＮＴ個のＲＦ経路２３０−１乃至２３０−ＮＴは同一に構成される。よって、以下の説明では、第１ＲＦ経路２３０−１の構成を代表として説明する。この時、残りのＲＦ経路２３０−２乃至２３０−ＮＴは、第１ＲＦ経路２３０−１の構成と同一に構成される。
【００４６】
第１ＲＦ経路２３０−１は、ＮＡ個の変調部２３２−１１乃至２３２−１ＮＡ、アナログビーム形成部２９０及びＮＡ個の電力増幅器２４０−１１乃至２４０−１ＮＡを含んで構成される。ここで、ＮＡは、第１アンテナ部２５０−１を構成するアンテナ要素（ａｎｔｅｎｎａ  ｅｌｅｍｅｎｔ の個数を表す。
【００４７】
ＮＡ個の変調部２３２−１１乃至２３２−１ＮＡは、それぞれプリコーディング部２２０から提供された信号を通信方式に応じて変調して出力する。例えば、ＮＡ個の変調部２３２−１１乃至２３２−１ＮＡは、それぞれＩＦＦＴ（Ｉｎｖｅｒｓｅ  Ｆａｓｔ  Ｆｏｕｒｉｅｒ  Ｔｒａｎｓｆｏｒｍ）演算器及びデジタルアナログ変換器（Ｄｉｇｉｔａｌ  ｔｏ  Ａｎａｌｏｇ  Ｃｏｎｖｅｒｔｏｒ）を含んで構成される。ＩＦＦＴ演算器は、ＩＦＦＴ演算を介してプリコーディング部２２０から提供された信号を時間領域の信号に変換する。デジタルアナログ変換器は、ＩＦＦＴ演算器から提供された時間領域の信号をアナログ信号に変換して出力する。
【００４８】
アナログビーム形成部２９０は、ビーム設定部２６０から提供された送信ビーム重み値に応じてＮＡ個の変調部２３２−１１乃至２３２−１ＮＡから提供されたＮＡ個の送信信号の位相を変更して出力する。例えば、アナログビーム形成部２９０は、複数の位相変更部２３４−１１乃至２３４−１ＮＡ、２３６−１１乃至２３６−１ＮＡ及び結合部２３８−１１乃至２３８−１ＮＡを含んで構成される。ＮＡ個の変調部２３２−１１乃至２３２−１ＮＡは、それぞれ出力信号をＮＡ個の信号に分離してそれぞれの位相変更部２３４−１１乃至２３４−１ＮＡ、２３６−１１乃至２３６−１ＮＡに出力する。それぞれの位相変更部２３４−１１乃至２３４−１ＮＡ、２３６−１１乃至２３６−１ＮＡは、ビーム設定部２６０から提供された送信ビーム重み値に応じてＮＡ個の変調部２３２−１１乃至２３２−１ＮＡから提供された信号の位相を変更する。結合部２３８−１１乃至２３８−１ＮＡは、アンテナ要素に該当する位相変更部２３４−１１乃至２３４−１ＮＡ、２３６−１１乃至２３６−１ＮＡの出力信号を結合して出力する。
【００４９】
電力増幅器２４０−１１乃至２４０−１ＮＡは、それぞれ結合部２３８−１１乃至２３８−１ＮＡから提供された信号の電力を増幅して第１アンテナ部２５０−１を介して外部に出力する。
【００５０】
ビーム設定部２６０は、送信制御部２７０の制御に応じて信号を送信するために使用する送信ビームパターンを選択し、選択した送信ビームパターンによる送信ビーム重み値をアナログビーム形成部２９０に提供する。例えば、ビーム設定部２６０は、送信制御部２７０の制御に応じてフィードバック情報受信部２８０から提供された各送信ビームパターンによるチャネル情報を考慮してダイバーシティ送信に用いる少なくとも１つの送信ビームパターンを選択する。別の例として、ビーム設定部２６０は、送信制御部２７０の制御に応じてフィードバック情報受信部２８０から提供された各送信ビームパターンによるチャネル情報を考慮してダイバーシティ送信に用いる少なくとも１つの送信ビームパターン及び少なくとも１つの受信ビームパターンを選択する。さらに別の例として、ビーム設定部２６０は、送信制御部２７０の制御に応じてフィードバック情報受信部２８０から提供された各送信ビームパターンによるチャネル情報を考慮して、空間多重化伝送に用いる複数の送信ビームパターン及び複数の受信ビームパターンを選択する。この時、ビーム設定部２６０は、図８Ａ及び図８Ｂに示すように、多重アンテナ送信のための送信ビームパターン又は送受信ビームパターンを選択する。
【００５１】
送信制御部２７０は、送信ビームを形成するための送信ビームパターンを選択するようにビーム設定部２６０を制御する。例えば、送信制御部２７０は、送信側がサポートできるそれぞれの送信ビームパターンを介して基準信号を送信できるようにビーム設定部２６０を制御する。すなわち、送信制御部２７０は、基準信号を送信する送信ビームパターンを選択するようにビーム設定部２６０を制御する。別の例として、送信制御部２７０は、受信側のビームフォーミング情報を考慮してダイバーシティ送信に用いる送信ビームパターン又は送受信ビームパターンを選択するようにビーム設定部２６０を制御する。さらに別の例として、送信制御部２７０は、受信側のビームフォーミング情報を考慮して空間多重化伝送に用いる送受信ビームパターンを選択するようにビーム設定部２６０を制御する。ここで、受信側のビームフォーミング情報は、受信ビームフォーミングのサポート可否、サポート可能な受信ビームパターンの個数、複数の受信ビームの同時使用可否、同時使用可能な受信ビームの個数情報及び使用可能なＭＩＭＯストリームの個数情報などを含む。
【００５２】
また、送信制御部２７０は、受信側にチャネル情報を要求するように制御する。例えば、送信制御部２７０は、送信ビームパターンのチャネル情報要求のための放送信号又はチャネル情報要求のための制御メッセージ（例えば、ＲＥＰ−ＲＥＱ）を受信側に送信するように制御する。別の例として、送信制御部２７０は、受信側にチャネル情報を送信するためのリソースを割り当てることによって受信側にチャネル情報を要求する。この時、送信制御部２７０は、チャネル情報要求とともにチャネル情報をフィードバックするための報告形式情報を受信側に送信するように制御することもできる。ここで、報告形式は、チャネル情報をフィードバックする送信ビームパターンの個数、チャネル情報をフィードバックする送信ビームパターン及び受信ビームパターンの個数、チャネル情報をフィードバックする受信ビーム別送信ビームパターンの個数及びビーム選択及びチャネル情報フィードバックのための基準値のうち少なくとも１つを含む。この時、ビーム選択及びチャネル情報フィードバックのための基準値は、チャネル品質の絶対値、基準ビーム組み合わせに対するチャネル品質の相対値、ビーム組み合わせチャネル品質の時間分散及びビーム組み合わせチャネル品質の標準偏差、ビーム組み合わせ間の相関値のうち少なくとも１つを含む。
【００５３】
フィードバック情報受信部２８０は、受信側からフィードバックされる情報を受信してプリコーディング部２２０、ビーム設定部２６０及び送信制御部２７０に出力する。
【００５４】
上記のように、送信制御部２７０は、受信側のビームフォーミング情報を考慮してダイバーシティ送信に用いる送信ビームパターン又は送受信ビームパターンを選択するようにビーム設定部２６０を制御する。例えば、受信側が受信ビームフォーミングをサポートし、同時に複数の受信ビームパターンを用いて信号を受信できる場合、送信制御部２７０は、複数の受信ビームパターン及び複数の送信ビームパターンを選択するようにビーム設定部２６０を制御する。別の例として、受信側が受信ビームフォーミングをサポートするが、同時に複数の受信ビームパターンを用いて信号を受信できない場合、送信制御部２７０は、複数の受信ビームパターンに対する複数の送信ビームパターンを選択するようにビーム設定部２６０を制御する。さらに別の例として、受信側が受信ビームフォーミングをサポートするが、同時に複数の受信ビームパターンを用いて信号を受信できない場合、送信制御部２７０は、１つの受信ビームパターンに対する１つの送信ビームパターンを選択するようにビーム設定部２６０を制御する。さらに別の例として、受信側が受信ビームフォーミングをサポートしない場合、送信制御部２７０は、複数の送信ビームパターンを選択するようにビーム設定部２６０を制御する。さらに別の例として、受信側が受信ビームフォーミングをサポートしない場合、送信制御部２７０は、１つの送信ビームパターンを選択するようにビーム設定部２６０を制御する。すなわち、送信制御部２７０は、ビーム設定部２６０が、図８Ａ及び図８Ｂに示すように、ダイバーシティ送信のための送信ビームパターン又は送受信ビームパターンを選択するようにビーム設定部２６０を制御する。
【００５５】
図示していないが、送信側は、受信ビームパターンに対するチャネルを推定するチャネル推定部をさらに含むこともできる。
【００５６】
以下の説明は、受信ビームフォーミングをサポートする受信側の構成について説明する。
図３は、本発明による受信ビームを形成するための受信側のブロック構成を示している。ここで、受信側は、デジタル／アナログハイブリッドビームフォーミング方式を使用するものであると仮定する。
【００５７】
図示のように、受信側は、ＮＲ個のアンテナ部３００−１乃至３００−ＮＲ、ＮＲ個のＲＦ経路３１０−１乃至３１０−ＮＲ、後処理部３２０、ＭＩＭＯ復号部３３０、Ｔ個のチャネル復号部３４０−１乃至３４０−Ｔ、チャネル推定部３５０、フィードバック制御部３６０及びビーム設定部３７０を含んで構成される。
【００５８】
ＮＲ個のＲＦ経路３１０−１乃至３１０−ＮＲは、それぞれ当該アンテナ部３００−１乃至３００−ＮＲを介して受信された信号を処理する。この時、ＮＲ個のＲＦ経路３１０−１乃至３１０−ＮＲは同一に構成される。これにより、以下の説明で第１ＲＦ経路３１０−１の構成を代表として説明する。この時、残りのＲＦ経路３１０−２乃至３１０−ＮＲは、第１ＲＦ経路３１０−１の構成と同一に構成される。
【００５９】
第１ＲＦ経路３１０−１は、アナログビーム形成部３８０及びＮＢ個の変調部３１８−１１乃至３１８−１ＮＢを含んで構成される。ここで、ＮＢは、第１アンテナ部３００−１を構成するアンテナ要素（ａｎｔｅｎｎａ  ｅｌｅｍｅｎｔ）の個数を表す。
【００６０】
アナログビーム形成部３８０は、ビーム設定部３７０から提供された送信ビーム重み値に応じて第１アンテナ部３００−１を構成するアンテナ要素から提供されたＮＢ個の受信信号の位相を変更して出力する。例えば、アナログビーム形成部３８０は、複数の位相変更部３１２−１１乃至３１２−１ＮＢ、３１４−１１乃至３１４−１ＮＢ及び結合部３１６−１１乃至３１６−１ＮＢを含んで構成される。第１アンテナ部３００−１を構成するアンテナ要素は、受信信号をＮＢ個の信号に分離してそれぞれの位相変更部３１２−１１乃至３１２−１ＮＢ、３１４−１１乃至３１４−１ＮＢに出力する。それぞれの位相変更部３１２−１１乃至３１２−１ＮＢ、３１４−１１乃至３１４−１ＮＢは、ビーム設定部３７０から提供された受信ビーム重み値に応じて第１アンテナ部３００−１を構成するアンテナ要素から提供された信号の位相を変更する。結合部３１６−１１乃至３１６−１ＮＢは、アンテナ要素に該当する位相変更部３１４−１１乃至３１２−１ＮＢ、３１４−１１乃至３１４−１ＮＢの出力信号を結合して出力する。
【００６１】
ＮＢ個の復調部３１８−１１乃至３１８−１ＮＢは、それぞれ結合部３１６−１１乃至３１６−１ＮＢから提供された受信信号を通信方式に応じて復調して出力する。例えば、ＮＢ個の復調部３１８−１１乃至３１８−１ＮＢは、それぞれアナログデジタル変換器（Ａｎａｌｏｇ  ｔｏ  Ｄｉｇｉｔａｌ  Ｃｏｎｖｅｒｔｏｒ）及びＦＦＴ（Ｆａｓｔ  Ｆｏｕｒｉｅｒ  Ｔｒａｎｓｆｏｒｍ）演算器を含んで構成される。アナログデジタル変換器は、結合部３１６−１１乃至３１６−１ＮＢから提供された受信信号をデジタル信号に変換する。ＦＦＴ演算器は、ＦＦＴ演算を介してアナログデジタル変換器から提供された信号を周波数領域の信号に変換する。
【００６２】
後処理部３２０は、ＮＲ個のＲＦ経路３１０−１乃至３１０−ＮＲから提供された信号を送信側のプリコーディング方式に応じてポストデコーディング（ｐｏｓｔ  ｄｅｃｏｄｉｎｇ）してＭＩＭＯ復号部３３０に提供する。
【００６３】
ＭＩＭＯ復号部３３０は、後処理部３２０から提供されたＮＲ個の受信信号をＴ個のチャネル復号部３４０−１乃至３４０−Ｔで復号できるようにＴ個の信号に多重化して出力する。
Ｔ個のチャネル復号部３４０−１乃至３４０−Ｔは、それぞれ復調器（ｄｅｍｏｄｕｌａｔｏｒ）及びチャネル復号器（ｃｈａｎｎｅｌ  ｄｅｃｏｄｅｒ）を含んで構成され、送信側から提供された信号を復調及び復号化する。
【００６４】
チャネル推定部３５０は、送信側でそれぞれの送信ビームパターンを介して送信する基準信号を介してそれぞれの送信ビームパターンに対するチャネル情報を推定する。例えば、受信側が受信ビームフォーミングをサポートする場合、チャネル推定部３５０は、図６に示すように、サポート可能なそれぞれの受信ビームパターン別に送信ビームパターンに対するチャネル情報を推定する。別の例として、受信側が受信ビームフォーミングをサポートしない場合、チャネル推定部３５０は、図５に示すように、送信ビームパターンに対するチャネル情報を推定する。この時、チャネル推定部３５０は、送信側がチャネル情報を要求する場合、それぞれの送信ビームパターンに対するチャネル情報を推定する。ここで、チャネル情報は、信号対雑音比（ＳＮＲ、ＣＩＮＲ（Ｃａｒｒｉｅｒ  ｐｏｗｅｒ  Ｉｎｔｅｒｆｅｒｅｎｃｅ  ａｎｄ  Ｎｏｉｓｅ  ｐｏｗｅｒ  Ｒａｔｉｏ）及びＲＳＳＩ（Ｒｅｃｅｉｖｅ  Ｓｉｇｎａｌ  Ｓｔｒｅｎｇｔｈ  Ｉｎｄｉｃａｔｏｒ）のうち少なくとも１つを含む。
【００６５】
フィードバック制御部３６０は、チャネル推定部３５０で推定したそれぞれの送信ビームパターンに対するチャネル情報を送信側にフィードバックする。この時、フィードバック制御部３６０は、送信側から提供された報告形式情報に応じてそれぞれの送信ビームパターンに対するチャネル情報を送信側にフィードバックする。ここで、報告形式情報は、チャネル情報をフィードバックする送信ビームパターンの個数、チャネル情報をフィードバックする送信ビームパターン及び受信ビームパターンの個数、チャネル情報をフィードバックする受信ビーム別送信ビームパターンの個数及びビーム選択及びチャネル情報フィードバックのための基準値のうち少なくとも１つを含む。この時、ビーム選択及びチャネル情報フィードバックのための基準値は、チャネル品質の絶対値、基準ビーム組み合わせに対するチャネル品質の相対値、ビーム組み合わせチャネル品質の時間分散及びビーム組み合わせチャネル品質の標準偏差、ビーム組み合わせ間の相関値のうち少なくとも１つを含む。例えば、フィードバック制御部３６０は、報告形式情報に応じてチャネル状態の良いＭ個の送信ビームパターンに対するチャネル情報をフィードバックする。別の例として、フィードバック制御部３６０は、報告形式情報に応じてチャネル状態が基準値以上のＰ個の送信ビームパターンに対するチャネル情報をフィードバックできる。さらに別の例として、受信側が受信ビームフォーミングをサポートする場合、フィードバック制御部３６０は、報告形式情報に応じて受信ビームパターン別にチャネル状態の良いＮ個の送信ビームパターンに対するチャネル情報をフィードバックすることもできる。さらに別の例として、受信側が受信ビームフォーミングをサポートする場合、フィードバック制御部３６０は、報告形式情報に応じて受信ビームパターン別にチャネル状態が基準値以上のＴ個の送信ビームパターンに対するチャネル情報をフィードバックすることもできる。さらに別の例として、フィードバック制御部３６０は、報告形式情報に応じてチャネル状態の最も良い送信ビームパターン及びチャネル状態が所定範囲内に含まれる少なくとも１つの送信ビームパターンに対するチャネル情報をフィードバックすることもできる。さらに別の例として、受信側が受信ビームフォーミングをサポートする場合、フィードバック制御部３６０は、報告形式情報に応じて受信ビームパターン別にチャネル状態の最も良い送信ビームパターン及びチャネル状態が所定範囲内に含まれる少なくとも１つの送信ビームパターンに対するチャネル情報をフィードバックすることもできる。ここで、Ｍ、Ｐ、Ｎ、Ｔは、フィードバックするための送信ビームパターンの個数を表す整数である。
【００６６】
また、フィードバック制御部３６０は、受信ビームフォーミング能力情報を送信側に送信する。例えば、フィードバック制御部３６０は、送信側との能力ネゴシエーション（ｃａｐａｂｉｌｉｔｙ  ｎｅｇｏｔｉａｔｉｏｎ）過程で自らの受信ビームフォーミング能力情報を送信側に送信する。ここで、送信側との能力ネゴシエーションは、初期ネットワークエントリ及びネットワークリエントリの際に発生し得る。
【００６７】
ビーム設定部３７０は、サポート可能な複数の受信ビームパターンのうち送信側で選択した送信ビームパターンに対応する受信ビームパターンに応じて信号を受信するように受信ビーム重み値をアナログビーム形成部３８０に提供する。この時、ビーム設定部３７０は、送信側から提供された制御信号で信号を受信するために使用する受信ビームパターンを確認する。
【００６８】
上記実施形態で、受信側は、フィードバック制御部を用いて受信ビームフォーミング能力情報を送信側に送信する。
【００６９】
別の実施形態で、受信側は、受信ビームフォーミング能力情報を送信側に送信する送信部をさらに含んで構成されることもできる。
【００７０】
以下の説明は、受信側で送信ビームパターンに対するチャネル情報をフィードバックするための方法について説明する。
【００７１】
図４は、本発明の実施形態による受信側でビームパターンに対するチャネル情報をフィードバックするための手順を示している。
【００７２】
図４を参照すると、受信側は、ステップ４０１にて、送信側の送信ビームフォーミング情報を確認する。例えば、受信側は、送信側の送信ビームフォーミング情報を送信側から提供される。ここで、送信ビームフォーミング情報は、送信側がサポート可能な送信ビームパターンの個数、送信ビーム送信時期などを含む。
【００７３】
以降、受信側は、ステップ４０３に進み、自らの受信ビームフォーミング能力情報を送信側に送信する。例えば、受信側は、ネットワークエントリ（ｎｅｔｗｏｒｋ  ｅｎｔｒｙ）又はハンドオーバの際、送信側との能力ネゴシエーション（ｃａｐａｂｉｌｉｔｙ  ｎｅｇｏｔｉａｔｉｏｎ）過程で自らの受信ビームフォーミング能力情報を送信側に送信する。ここで、受信ビームフォーミング能力情報は、受信ビームフォーミングのサポート可否、サポート可能な受信ビームパターンの個数、複数の受信ビームの同時使用可否、同時使用可能な受信ビームの個数情報及び使用可能なＭＩＭＯストリームの個数などを含む。この時、受信側は、受信ビームフォーミング能力情報を表１のように構成できる。
【００７４】
【表１】
2014524705.tif 000003
ここで、受信側で同時使用可能な受信ビームの個数は、受信側の受信ＲＦチェーンの個数で表すこともできる。
【００７５】
以降、受信側は、ステップ４０５に進み、送信側が各送信ビームパターンに対するチャネル情報を要求するかを確認する。例えば、受信側は、送信側からチャネル情報要求のための放送信号又はチャネル情報要求のための制御メッセージ（例えば、ＲＥＰ−ＲＥＱ）が受信されるかを確認する。別の例として、受信側は、送信側がチャネル情報を送信するためのリソースを割り当てるかを確認する。この時、送信側がチャネル情報を送信するためのリソースを割り当てる場合、受信側は、送信側がチャネル情報を要求すると認識する。
【００７６】
送信側が送信ビームパターンに対するチャネル情報を要求した場合、受信側は、ステップ４０７に進み、チャネル情報を送信するための報告形式を確認する。例えば、受信側は、送信側から報告形式情報を提供される。ここで、報告形式は、チャネル情報をフィードバックする送信ビームパターンの個数、チャネル情報をフィードバックする送信ビームパターン及び受信ビームパターンの個数、チャネル情報をフィードバックする受信ビーム別送信ビームパターンの個数及びビーム選択及びチャネル情報フィードバックのための基準値のうち少なくとも１つを含む。この時、ビーム選択及びチャネル情報フィードバックのための基準値は、チャネル品質の絶対値、基準ビーム組み合わせに対するチャネル品質の相対値、ビーム組み合わせチャネル品質の時間分散及びビーム組み合わせチャネル品質の標準偏差、ビーム組み合わせ間の相関値のうち少なくとも１つを含む。
【００７７】
報告形式を確認した後、受信側は、ステップ４０９に進み、送信側のサポート可能なそれぞれの送信ビームパターンに対するチャネルを推定する。例えば、受信側は、送信側がそれぞれのビームパターンを介して送信する基準信号を用いてそれぞれの送信ビームパターンに対するチャネルを推定する。もし、受信側が受信ビームフォーミングをサポートする場合、受信側は、図６に示すように、受信側でサポート可能なそれぞれの受信ビームパターン別に送信側の送信ビームパターンに対するチャネル情報を推定する。一方、受信側が受信ビームフォーミングをサポートしない場合、受信側は、図５に示すように、送信ビームパターンに対するチャネル情報を推定する。
【００７８】
送信ビームパターンに対するチャネルを推定した後、受信側は、ステップ４１１に進み、ステップ４０７にて確認した報告形式に応じて送信ビームパターンに対するチャネル情報を送信側にフィードバックする。例えば、受信側は、報告形式情報に応じてチャネル状態の良いＭ個の送信ビームパターンに対するチャネル情報をフィードバックする。別の例として、受信側は、報告形式情報に応じてチャネル状態が基準値以上のＰ個の送信ビームパターンに対するチャネル情報をフィードバックする。さらに別の例として、受信側が受信ビームフォーミングをサポートする場合、受信側は、報告形式情報に応じて受信ビームパターン別にチャネル状態の良いＭ個の送信ビームパターンに対するチャネル情報をフィードバックする。さらに別の例として、受信側が受信ビームフォーミングをサポートする場合、受信側は、報告形式情報に応じて受信ビームパターン別にチャネル状態が基準値以上のＰ個の送信ビームパターンに対するチャネル情報をフィードバックする。さらに別の例として、受信側は、報告形式情報に応じてチャネル状態の最も良い送信ビームパターン及びチャネル状態が所定範囲内に含まれる少なくとも１つの送信ビームパターンに対するチャネル情報をフィードバックすることもできる。さらに別の例として、受信側が受信ビームフォーミングをサポートする場合、受信側は、報告形式情報に応じて受信ビームパターン別にチャネル状態の最も良い送信ビームパターン及びチャネル状態が所定範囲内に含まれる少なくとも１つの送信ビームパターンに対するチャネル情報をフィードバックすることもできる。ここで、Ｍ、Ｐ、Ｎ、Ｔは、フィードバックするための送信ビームパターンの個数を表す整数である。ここで、チャネル状態は、ＣＩＮＲ、ＲＳＳＩ（Ｒｅｃｅｉｖｅｄ  ｓｉｇｎａｌ  ｓｔｒｅｎｇｔｈ  ｉｎｄｉｃａｔｉｏｎ）、ビームパターン間のチャネル相関のうち少なくとも１つを含む。
【００７９】
以降、受信側は、本アルゴリズムを終了する。
上記実施形態で、受信側は、送信側から提供された報告形式に応じて送信ビームパターンに対するチャネル情報をフィードバックする。
【００８０】
別の実施形態で、受信側は、自らが測定した送信ビームパターンに対するチャネル情報を送信側の報告形式を考慮せず送信側にフィードバックすることもできる。
【００８１】
以下の説明は、受信ビームフォーミングをサポートしない受信側で送信ビームパターンに対するチャネルを推定するための方法について説明する。
【００８２】
図５は、本発明の実施形態による受信側でビームパターンに対するチャネルを推定するための手順を示している。
【００８３】
図５を参照すると、受信側が図４のステップ４０９にて送信ビームパターンのチャネルを推定する場合、受信側は、ステップ５０１にて、ｉ番目送信ビームパターンに対する基準信号を確認する。例えば、受信側は、送信側がｉ番目送信ビームパターンを介して送信する基準信号を受信する。ここで、ｉは、送信側が基準信号を送信する送信ビームパターンのインデックスであって、０を初期値とする。
【００８４】
ｉ番目送信ビームパターンの基準信号を確認した後、受信側は、ステップ５０３に進み、ｉ番目送信ビームパターンの基準信号を用いてｉ番目送信ビームパターンに対するチャネルを推定する。
【００８５】
以降、受信側は、ステップ５０５に進み、送信ビームパターンのインデックスｉを更新する。例えば、受信側は、送信ビームパターンのインデックスｉを１段階（ｉ＋＋）増加させる。
【００８６】
送信ビームパターンのインデックスｉを更新した後、受信側は、ステップ５０７に進み、更新した送信ビームパターンのインデックスｉと送信側がサポート可能な送信ビームパターンの個数ＮＢＦ＿ＴＸとを比較し、送信側がサポート可能な全ての送信ビームパターンに対するチャネルを推定したかを確認する。
【００８７】
更新した送信ビームパターンのインデックスｉが送信側がサポート可能な送信ビームパターンの個数ＮＢＦ＿ＴＸより小さい場合（ｉ＜ＮＢＦ＿ＴＸ）、受信側は送信側がサポート可能な全ての送信ビームパターンに対するチャネルを推定できなかったと認識する。これにより、受信側は、ステップ５０１に進み、ｉ番目送信ビームパターンに対する基準信号を確認する。ここで、送信ビームパターンのインデックスｉはステップ５０５にて更新した値を有する。
【００８８】
一方、更新した送信ビームパターンのインデックスｉが送信側がサポート可能な送信ビームパターンの個数ＮＢＦ＿ＴＸより大きいまたは等しい場合（ｉ≧ＮＢＦ＿ＴＸ）、受信側は、送信側がサポート可能な全ての送信ビームパターンに対するチャネルを推定したと認識する。これにより、受信側は、図４のステップ４１１に進み、送信ビームパターンに対するチャネル情報を送信側にフィードバックする。
【００８９】
以下の説明は、受信ビームフォーミングをサポートする受信側で送信ビームパターンに対するチャネルを推定するための方法について説明する。
【００９０】
図６は、本発明の他の実施形態による受信側でビームパターンに対するチャネルを推定するための手順を示している。
【００９１】
図６を参照すると、受信側が図４のステップ４０９にて送信ビームパターンのチャネルを推定する場合、受信側は、ステップ６０１にて信号を受信するための受信ビームをｊ番目受信ビームパターンに設定する。ここで、ｊは、受信側がサポートできる受信ビームパターンのインデックスであって、０を初期値とする。
【００９２】
以降、受信側は、ステップ６０３に進み、ｉ番目送信ビームパターンに対する基準信号を確認する。例えば、受信側は、送信側がｉ番目送信ビームパターンを介して送信する基準信号を受信する。ここで、ｉは、送信側が基準信号を送信する送信ビームパターンのインデックスであって、０を初期値とする。
【００９３】
ｉ番目送信ビームパターンの基準信号を確認した後、受信側は、ステップ６０５に進み、ｉ番目送信ビームパターンの基準信号を用いてｊ番目受信ビームパターンを介して受信したｉ番目送信ビームパターンに対するチャネルを推定する。
【００９４】
以降、受信側は、ステップ６０７に進み、送信ビームパターンのインデックスｉを更新する。例えば、受信側は、送信ビームパターンのインデックスｉを１段階（ｉ＋＋）増加させる。
【００９５】
送信ビームパターンのインデックスｉを更新した後、受信側は、ステップ６０９に進み、更新した送信ビームパターンのインデックスｉと送信側がサポート可能な送信ビームパターンの個数ＮＢＦ＿ＴＸとを比較して送信側がサポート可能な全ての送信ビームパターンに対するチャネルを推定したかを確認する。
【００９６】
更新した送信ビームパターンのインデックスｉが送信側がサポート可能な送信ビームパターンの個数ＮＢＦ＿ＴＸより小さい場合（ｉ＜ＮＢＦ＿ＴＸ）、受信側は送信側がサポート可能な全ての送信ビームパターンに対するチャネルを推定できなかったと認識する。これにより、受信側は、ステップ６０３に進み、ｉ番目送信ビームパターンに対する基準信号を確認する。ここで、送信ビームパターンのインデックスｉはステップ６０７にて更新した値を有する。
【００９７】
一方、更新した送信ビームパターンのインデックスｉが送信側がサポート可能な送信ビームパターンの個数ＮＢＦ＿ＴＸより大きいまたは等しい場合（ｉ≧ＮＢＦ＿ＴＸ）、受信側は、送信側がサポート可能な全ての送信ビームパターンに対するチャネルを推定したと認識する。これにより、受信側は、ステップ６１１に進み、受信ビームパターンのインデックスｊを更新する。例えば、受信側は、受信ビームパターンのインデックスｊを１段階（ｊ＋＋）増加させる。
【００９８】
受信ビームパターンのインデックスｊを更新した後、受信側は、ステップ６１３に進み、更新した受信ビームパターンのインデックスｊと受信側がサポート可能な受信ビームパターンの個数（ＮＢＦ＿ＲＸ）とを比較して受信側がサポート可能な全ての受信ビームパターンに対する送信ビームパターンのチャネルを推定したかを確認する。
【００９９】
更新した受信ビームパターンのインデックスｊが受信側がサポート可能な受信ビームパターンの個数（ＮＢＦ＿ＲＸ）より小さい場合（ｉ＜ＮＢＦ＿ＲＸ）、受信側は受信側がサポート可能な全ての受信ビームパターンに対する送信ビームパターンのチャネルを推定できなかったと認識する。これにより、受信側は、ステップ６０１に進み、信号を受信するための受信ビームをｊ番目受信ビームパターンに設定する。ここで、受信ビームパターンのインデックスｊはステップ６１１にて更新した値を有する。
【０１００】
一方、更新した受信ビームパターンのインデックスｊが受信側がサポート可能な受信ビームパターンの個数（ＮＢＦ＿ＲＸ）より大きいまたは等しい場合（ｉ≧ＮＢＦ＿ＲＸ）、受信側は、受信側がサポート可能な全ての受信ビームパターンに対する送信ビームパターンのチャネルを推定したと認識する。これにより、受信側は、図４のステップ４１１に進み、受信ビームパターンに対する送信ビームパターンのチャネル情報を送信側にフィードバックする。
【０１０１】
以下の説明は、送信側でダイバーシティ送信をサポートするための方法について説明する。
図７は、本発明の実施形態による送信側でビームを形成するための手順を示している。
【０１０２】
図７を参照すると、送信側は、ステップ７０１にて、自らの送信ビームフォーミング情報を受信側に送信する。ここで、送信ビームフォーミング情報は、送信側がサポート可能な送信ビームパターンの個数、送信ビーム送信時期などを含む。
【０１０３】
以降、送信側は、ステップ７０３に進み、受信側の受信ビームフォーミング能力情報を確認する。例えば、送信側は、受信側のネットワークエントリ（ｎｅｔｗｏｒｋ  ｅｎｔｒｙ）又はハンドオーバの際、受信側との能力ネゴシエーション（ｃａｐａｂｉｌｉｔｙ  ｎｅｇｏｔｉａｔｉｏｎ）過程で受信側の受信ビームフォーミング能力情報を受信側から受信する。ここで、受信ビームフォーミング能力情報は、受信ビームフォーミングのサポート可否、サポート可能な受信ビームパターンの個数、複数の受信ビームの同時使用可否及び同時使用可能な受信ビームの個数情報などを含む。この時、送信側は表１のように構成される受信ビームフォーミング能力情報を確認することができる。
【０１０４】
受信側の受信ビームフォーミング能力情報を確認した後、送信側は、ステップ７０５に進み、自らがサポートできる送信ビームパターンに対するチャネル情報を要求する。例えば、送信側は、送信ビームパターンのチャネル情報要求のための放送信号又はチャネル情報要求のための制御メッセージ（例えば、ＲＥＰ−ＲＥＱ）を受信側に送信する。別の例として、送信側は、受信側にチャネル情報を送信するためのリソースを割り当てる。この時、送信側は、チャネル情報要求とともにチャネル情報をフィードバックするための報告形式情報を受信側に送信することもできる。ここで、報告形式は、チャネル情報をフィードバックする送信ビームパターンの個数、チャネル情報をフィードバックする基準値などを含む。
【０１０５】
以降、送信側は、ステップ７０７に進み、受信側から送信ビームパターンに対するチャネル情報が受信されるかを確認する。
【０１０６】
ステップ７０７にて、受信側から送信ビームパターンに対するチャネル情報が受信される場合、送信側は、ステップ７０９に進み、受信側から提供された送信ビームパターンに対するチャネル情報を考慮して送信スケジューリングを行う。例えば、送信側は、図８Ａ及び図８Ｂに示すように、受信側から提供された送信ビームパターンに対するチャネル情報を考慮して受信側に信号を送信するために使用する少なくとも１つの受信ビームパターンに対する少なくとも１つの送信ビームパターンを選択する。
【０１０７】
ステップ７０９にて、送信スケジューリングを行った後、送信側は、ステップ７１１に進み、送信スケジューリング情報に応じて信号を受信側に送信する。すなわち、送信側は、送信スケジューリングを介して選択した送信ビームパターンを介して受信側に信号を送信する。
【０１０８】
以降、送信側は本アルゴリズムを終了する。
図８Ａ及び図８Ｂは、本発明の実施形態による送信側でダイバーシティ送信のためのスケジューリング手順を示している。
【０１０９】
図８Ａ及び図８Ｂを参照すると、送信側が図７のステップ７０９にて送信スケジューリングを行う場合、送信側は、ステップ８０１に進み、受信側の受信ビームフォーミング能力情報を確認する。例えば、送信側は、ステップ７０３にて受信側から提供された受信ビームフォーミング能力情報を確認する。ここで、受信ビームフォーミング能力情報は、受信ビームフォーミングのサポート可否、サポート可能な受信ビームパターンの個数、複数の受信ビームの同時使用可否、同時使用可能な受信ビームの個数情報及び使用可能なＭＩＭＯストリームの個数などを含む。
【０１１０】
以降、送信側は、ステップ８０３に進み、受信側の受信ビームフォーミング能力情報に応じて送信側が送信した信号を受信する受信側が受信ビームフォーミングをサポートするかを確認する。
【０１１１】
ステップ８０３にて、受信側が受信ビームフォーミングをサポートする場合、送信側は、ステップ８０５に進み、送信側が送信した信号を受信する受信側が同時に複数の受信ビームパターンを用いて信号を受信できるかを確認する。
【０１１２】
ステップ８０５にて、受信側が同時に複数の受信ビームパターンを用いて信号を受信できる場合、送信側は、ステップ８０７に進み、送信側が複数の送信ビームパターンを用いて信号を同時に送信できるかを確認する。
【０１１３】
ステップ８０７にて、送信側が複数の送信ビームパターンを用いて信号を同時に送信できる場合、送信側は、ステップ８０９に進み、受信側が多重ＭＩＭＯストリームをサポートするかを確認する。例えば、送信側は、受信側の受信ビームフォーミング能力情報に含まれた使用可能なＭＩＭＯストリームの個数情報を考慮して受信側が多重ＭＩＭＯストリームをサポートするかを確認する。
【０１１４】
ステップ８０９にて、受信側が多重ＭＩＭＯストリームをサポートする場合、送信側は、空間多重化伝送方式を用いて受信側に信号を送信すると決定する。これにより、送信側は、ステップ８１１に進み、空間多重化伝送のための複数の受信ビームパターン及び複数の送信ビームパターンを選択する。例えば、送信側は、受信側から提供された受信側がサポートできる少なくとも１つの受信ビームパターンに対する送信ビームパターンのチャネル情報を確認する。以降、送信側は、それぞれの受信ビームパターンに対する送信ビームパターンのチャネル情報のうちチャネル状態の良い複数の受信ビームパターンに対する複数の送信ビームパターンを選択する。
【０１１５】
一方、ステップ８０９にて、受信側が多重ＭＩＭＯストリームをサポートしない場合、送信側は、ダイバーシティ送信方式を用いて受信側に信号を送信すると決定する。これにより、送信側は、ステップ８１３に進み、ダイバーシティ送信のための複数の受信ビームパターン及び複数の送信ビームパターンを選択する。例えば、送信側は受信側から提供された受信側がサポートできる少なくとも１つの受信ビームパターンに対する送信ビームパターンのチャネル情報を確認する。以降、送信側は、それぞれの受信ビームパターンに対する送信ビームパターンのチャネル情報のうちチャネル状態の良い複数の受信ビームパターンに対する複数の送信ビームパターンを選択する。
【０１１６】
一方、ステップ８０７にて、送信側が複数の送信ビームパターンを用いて信号を同時に送信できない場合、送信側は、ステップ８１５に進み、順次送信を介したダイバーシティ送信を提供するかを確認する。
【０１１７】
一方、ステップ８０５にて、受信側が同時に複数の受信ビームパターンを用いて信号を受信できない場合、送信側は、ステップ８１５に進み、順次送信を介したダイバーシティ送信を提供するかを確認する。
【０１１８】
ステップ８１５にて、順次送信を介したダイバーシティ送信を提供する場合、送信側は、ステップ８１７に進み、ダイバーシティ送信のための少なくとも１つの送信ビームパターン及び少なくとも１つの受信ビームパターンを選択する。例えば、送信側は、受信側から提供された受信側がサポートできる少なくとも１つの受信ビームパターンに対する送信ビームパターンのチャネル情報を確認する。以降、送信側は、互いに異なる時点で同じ信号を送信する複数の送信ビームパターン及び送信側が送信した同じ信号を互いに異なる時点で受信するための複数の受信ビームパターンを選択する。別の例として、送信側は、互いに異なる時点で同じ情報を送信するための１つの受信ビームパターンに対する１つの送信ビームパターンを選択することもできる。
【０１１９】
一方、ステップ８１５にて、順次送信を介したダイバーシティ送信を提供しない場合、送信側は、ダイバーシティ送信を行わないと認識する。これにより、送信側は、ステップ８１９に進み、それぞれの受信ビームパターンに対する送信ビームパターンのチャネル情報を考慮して、送信側が送信する信号を受信するためのいずれか１つの受信側の受信ビームパターンに対応して信号を送信するために使用するいずれか１つの送信ビームパターンを選択する。
【０１２０】
一方、ステップ８０３にて、受信側が受信ビームフォーミングをサポートしない場合、送信側は、ステップ８２１に進み、送信側が複数の送信ビームパターンを用いて信号を同時に送信できるかを確認する。
【０１２１】
ステップ８２１にて、送信側が複数の送信ビームパターンを用いて信号を同時に送信できる場合、送信側は、ステップ８２３に進み、受信側が多重ＭＩＭＯストリームをサポートするかを確認する。例えば、送信側は、受信側の受信ビームフォーミング能力情報に含まれた使用可能なＭＩＭＯストリームの個数情報を考慮して受信側が多重ＭＩＭＯストリームをサポートするかを確認する。
【０１２２】
ステップ８２３にて、受信側が多重ＭＩＭＯストリームをサポートする場合、送信側は、空間多重化伝送方式を用いて受信側に信号を送信すると決定する。これにより、送信側は、ステップ８２５に進み、空間多重化伝送のための複数の送信ビームパターンを選択する。
【０１２３】
一方、ステップ８２３にて、受信側が多重ＭＩＭＯストリームをサポートしない場合、送信側は、ダイバーシティ送信方式を用いて受信側に信号を送信すると決定する。これにより、送信側は、ステップ８２７に進み、ダイバーシティ送信のための複数の受信ビームパターンに対する複数の送信ビームパターンを選択する。
【０１２４】
一方、ステップ８２１にて、送信側が複数の送信ビームパターンを用いて信号を同時に送信できない場合、送信側は、ステップ８２９に進み、順次送信を介したダイバーシティ送信を提供するかを確認する。
【０１２５】
ステップ８２９にて、順次送信を介したダイバーシティ送信を提供する場合、送信側は、ステップ８３１に進み、ダイバーシティ送信のための少なくとも１つの送信ビームパターンを選択する。例えば、送信側は、受信側から提供された送信ビームパターンのチャネル情報を確認する。以降、送信側は、互いに異なる時点で同じ信号を送信する複数の送信ビームパターンを送信ビームパターンのチャネル情報を考慮して選択する。別の例として、送信側は、互いに異なる時点で同じ情報を送信するための１つの送信ビームパターンを送信ビームパターンのチャネル情報を考慮して選択する。
【０１２６】
一方、ステップ８２９にて、順次送信を介したダイバーシティ送信を提供しない場合、送信側は、ステップ８３３に進み、受信側から提供された送信ビームパターンのチャネル情報を考慮して信号を送信するために使用するいずれか１つの送信ビームパターンを選択する。
【０１２７】
以降、送信側は、図７のステップ７１１に進み、送信スケジューリングを介して選択した送信ビームパターンを介して受信側に信号を送信する。
【０１２８】
上記実施形態で、送信側は、受信側から提供された送信ビームパターンに対するチャネル情報を用いて送信スケジューリングを行う。
【０１２９】
別の実施形態で、送信側は、受信側で選択した送信ビームパターン又は送受信ビームパターンを考慮して信号を送信することもできる。すなわち、受信側で、図８Ａ及び図８Ｂに示したように、送信側の信号送信のための送信スケジューリングを行うことができる。
【０１３０】
上記のように、送信側は、送信側がビーム運営能力（ｂｅａｍ  ｍａｎａｇｅｍｅｎｔ  ｃａｐａｂｉｌｉｔｙ）、受信側のビーム運営能力及び受信側のＭＩＭＯストリーム運営能力を考慮して空間多重化伝送方式及びダイバーシティ送信方式のうちいずれか１つを選択する。例えば、送信側は、送信側がビーム運営能力、受信側のビーム運営能力及び受信側のＭＩＭＯストリーム運営能力を考慮して送信ビームパターン間のチャネル相関又は送受信ビームパターン組み合わせ間のチャネル相関情報を推定する。以降、送信側は、送信ビームパターン間のチャネル相関又は送受信ビームパターン組み合わせ間のチャネル相関情報を考慮して空間多重化伝送方式及びダイバーシティ送信方式のうちいずれか１つを選択する。別の例として、送信側は、送信側がビーム運営能力、受信側のビーム運営能力及び受信側のＭＩＭＯストリーム運営能力を考慮してそれぞれの多重アンテナ送信方式に対する利得を推定する。以降、送信側は、それぞれの多重アンテナ送信方式に対する利得を考慮して空間多重化伝送方式及びダイバーシティ送信方式のうちいずれか１つを選択することもできる。
【０１３１】
以下の説明は、アップリンク多重アンテナ送信によって送受信ビームを運営するための技術について説明する。
【０１３２】
図９は、本発明の実施形態による受信側で送信ビームフォーミング情報を送信するための手順を示している。
【０１３３】
図９を参照すると、受信側は、ステップ９０１にて、自らの送信ビームフォーミング能力情報を送信側に送信する。例えば、受信側は、ネットワークエントリ（ｎｅｔｗｏｒｋ  ｅｎｔｒｙ）又はハンドオーバの際、送信側との能力ネゴシエーション（ｃａｐａｂｉｌｉｔｙ  ｎｅｇｏｔｉａｔｉｏｎ）過程で自らの送信ビームフォーミング能力情報を送信側に送信する。ここで、送信ビームフォーミング能力情報は、送信ビームフォーミングのサポート可否、サポート可能な送信ビームパターンの個数、複数の送信ビームの同時使用可否、同時使用可能な送信ビームの個数情報及び使用可能なＭＩＭＯストリームの個数などを含む。この時、受信側は、受信ビームフォーミング能力情報を表２のように構成できる。
【０１３４】
【表２】
2014524705.tif 000004
ここで、受信側で同時使用可能な送信ビームの個数は、受信側の送信ＲＦチェーンの個数で表すこともできる。
【０１３５】
以降、受信側は、ステップ９０３に進み、それぞれの送信ビームパターンを介して基準信号を送信する。
【０１３６】
以降、受信側は本アルゴリズムを終了する。
図示していないが、受信側は、基準信号を送信した後、送信側から提供された受信スケジューリング情報に応じて送信側に信号を送信する。
【０１３７】
図１０は、本発明の実施形態による送信側で受信ビームを形成するための手順を示している。
図１０を参照すると、送信側は、ステップ１００１にて、受信側の送信ビームフォーミング能力情報を確認する。例えば、送信側は、受信側のネットワークエントリ（ｎｅｔｗｏｒｋ  ｅｎｔｒｙ）又はハンドオーバの際、受信側との能力ネゴシエーション（ｃａｐａｂｉｌｉｔｙ  ｎｅｇｏｔｉａｔｉｏｎ）過程で受信側の送信ビームフォーミング能力情報を受信側から受信する。ここで、送信ビームフォーミング能力情報は、送信ビームフォーミングのサポート可否、サポート可能な送信ビームパターンの個数、複数の送信ビームの同時使用可否、同時使用可能な送信ビームの個数情報及び使用可能なＭＩＭＯストリームの個数などを含む。この時、送信側は、表２のように構成される受信側の送信ビームフォーミング能力情報を確認することができる。
【０１３８】
ステップ１００１にて、受信側の送信ビームフォーミング能力情報を確認した後、送信側は、ステップ１００３に進み、受信側のサポート可能なそれぞれの送信ビームパターンに対するチャネルを推定する。例えば、送信側は、受信側がそれぞれの送信ビームパターンを介して送信する基準信号を用いてそれぞれの送信ビームパターンに対するチャネルを推定する。もし、送信側が受信ビームフォーミングをサポートする場合、送信側は、それぞれの受信ビームパターン別に受信側の送信ビームパターンに対するチャネル情報を推定する。
【０１３９】
ステップ１００３にて、受信側の送信ビームパターンに対するチャネル情報を確認した後、送信側は、ステップ１００５に進み、受信側の送信ビームパターンに対するチャネル情報を考慮して受信スケジューリングを行う。例えば、送信側は、図１１に示すように、受信側の送信ビームパターンに対するチャネル情報を考慮して受信側から信号を受信するために使用する少なくとも１つの受信ビームパターンに対する少なくとも１つの送信ビームパターンを選択する。この時、送信側は、受信スケジューリング情報を受信側に送信する。
【０１４０】
ステップ１００５にて、受信スケジューリングを行った後、送信側は、ステップ１００７に進み、受信スケジューリング情報に応じて受信側から信号を受信する。すなわち、送信側は、受信スケジューリングを介して選択した受信ビームパターンを介して受信側から信号を受信する。
以降、送信側は、本アルゴリズムを終了する。
【０１４１】
図１１は、本発明の実施形態による送信側でアップリンクビームフォーミングのためのスケジューリング手順を示している。
【０１４２】
図１１を参照すると、送信側が図１０のステップ１００５にて受信スケジューリングを行う場合、送信側は、ステップ１１０１に進み、受信側の送信ビームフォーミング能力情報を確認する。例えば、送信側は、ステップ１１０１にて、受信側から提供された受信側の送信ビームフォーミング能力情報を確認する。ここで、送信ビームフォーミング能力情報は、送信ビームフォーミングのサポート可否、サポート可能な送信ビームパターンの個数、複数の送信ビームの同時使用可否、同時使用可能な送信ビームの個数情報及び使用可能なＭＩＭＯストリームの個数などを含む。
【０１４３】
以降、送信側は、ステップ１１０３に進み、受信側の送信ビームフォーミング能力情報に応じて受信側が送信ビームフォーミングをサポートするかを確認する。
【０１４４】
ステップ１１０３にて、受信側が受信ビームフォーミングをサポートする場合、送信側は、ステップ１１０５に進み、受信側が同時に複数の送信ビームパターンを用いて信号を送信できるかを確認する。
【０１４５】
ステップ１１０５にて、受信側が同時に複数の送信ビームパターンを用いて信号を送信できる場合、送信側は、ステップ１１０７に進み、送信側が複数の受信ビームパターンを用いて信号を同時に受信できるかを確認する。
【０１４６】
ステップ１１０７にて、送信側が複数の受信ビームパターンを用いて信号を同時に受信できる場合、送信側は、ステップ１１０９に進み、受信側が多重ＭＩＭＯストリームをサポートするかを確認する。例えば、送信側は、受信側の送信ビームフォーミング能力情報に含まれた使用可能なＭＩＭＯストリームの個数情報を考慮して受信側が多重ＭＩＭＯストリームをサポートするかを確認するかを確認する。
【０１４７】
ステップ１１０９にて、受信側が多重ＭＩＭＯストリームをサポートする場合、送信側は空間多重化伝送方式を用いて受信側から信号を受信すると決定する。これにより、送信側は、ステップ１１１１に進み、空間多重化伝送のための複数の受信ビームパターン及び複数の送信ビームパターンを選択する。例えば、送信側は、受信側から提供された受信側がサポートできる少なくとも１つの送信ビームパターンに対する受信ビームパターンのチャネル情報を確認する。以降、送信側は、それぞれの送信ビームパターンに対する受信ビームパターンのチャネル情報のうちチャネル状態の良い複数の送信ビームパターンに対する複数の受信ビームパターンを選択する。
【０１４８】
一方、ステップ１１０９にて、受信側が多重ＭＩＭＯストリームをサポートしない場合、送信側は、ダイバーシティ送信方式を用いて受信側から信号を受信すると決定する。これにより、送信側は、ステップ１１１３に進み、ダイバーシティ送信のための複数の受信ビームパターン及び複数の送信ビームパターンを選択する。例えば、送信側は、受信側から提供された受信側がサポートできる少なくとも１つの送信ビームパターンに対する受信ビームパターンのチャネル情報を確認する。以降、送信側は、それぞれの送信ビームパターンに対する受信ビームパターンのチャネル情報のうちチャネル状態の良い複数の送信ビームパターンに対する複数の受信ビームパターンを選択する。
【０１４９】
一方、ステップ１１０７にて、送信側が複数の受信ビームパターンを用いて信号を同時に受信できない場合、送信側は、ステップ１１１５に進み、順次受信を介したダイバーシティ送信を提供するかを確認する。
【０１５０】
一方、ステップ１１０５にて、受信側が同時に複数の送信ビームパターンを用いて信号を送信できない場合、送信側は、ステップ１１１５に進み、順次受信を介したダイバーシティ送信を提供するかを確認する。
【０１５１】
ステップ１１１５にて、順次受信を介したダイバーシティ送信を提供する場合、送信側は、ステップ１１１７に進み、ダイバーシティ送信のための少なくとも１つの受信ビームパターン及び少なくとも１つの複数の送信ビームパターンを選択する。例えば、送信側は、受信側から提供された受信側がサポートできる少なくとも１つの送信ビームパターンに対する受信ビームパターンのチャネル情報を確認する。以降、送信側は、受信側で互いに異なる時点で同じ信号を送信する複数の送信ビームパターン及び受信側が送信した同じ信号を互いに異なる時点で受信するための複数の受信ビームパターンを選択する。別の例として、送信側は、受信側で互いに異なる時点で同じ情報を送信するための１つの受信ビームパターンに対する１つの送信ビームパターンを選択することもできる。
【０１５２】
一方、ステップ１１１５にて、順次受信を介したダイバーシティ送信を提供しない場合、送信側は、ダイバーシティ送信を行わないと認識する。これにより、送信側は、ステップ１１１９に進み、それぞれの受信ビームパターンに対する送信ビームパターンのチャネル情報を考慮して信号を送信する受信側の送信ビームパターン及び信号を受信する送信側の受信ビームパターンを選択する。
【０１５３】
一方、ステップ１１０３にて、受信側が送信ビームフォーミングをサポートしない場合、送信側は、ステップ１１２１に進み、受信側から信号を受信するためのいずれか１つの受信ビームパターンを選択する。
【０１５４】
以降、送信側は、図１０のステップ１００７に進み、受信スケジューリングを介して選択した受信ビームパターンを介して受信側から信号を受信する。この時、送信側は、受信側から信号を受信するために、図１０による受信スケジューリング情報を受信側に送信する。
【０１５５】
一方、本発明の詳細な説明では具体的な実施形態について説明したが、本発明の範囲から逸脱しない限度内で様々な変形が可能である。したがって、本発明の範囲は説明された実施形態に限定されて定められてはならず、後述する特許請求の範囲のみでなくこの特許請求の範囲と均等なものによって定められるべきである。
【符号の説明】
【０１５６】
２００−１〜２００−Ｋ  チャネル符号部
２１０  ＭＩＭＯ符号部
２２０  プリコーディング部
２３０−１〜２３０−ＮＴ  ＲＦ経路
２５０−１〜２５０−ＮＴ  アンテナ部
２６０  ビーム設定部
２７０  送信制御部
２８０  フィードバック情報受信部
【図１】
2014524705.tif 000005
【図２】
2014524705.tif 000006
【図３】
2014524705.tif 000007
【図４】
2014524705.tif 000008
【図５】
2014524705.tif 000009
【図６】
2014524705.tif 000010
【図７】
2014524705.tif 000011
【図８Ａ】
2014524705.tif 000012
【図８Ｂ】
2014524705.tif 000013
【図９】
2014524705.tif 000014
【図１０】
2014524705.tif 000015
【図１１】
2014524705.tif 000016
【国際調査報告】
2014524705.tif 000017
2014524705.tif 000018